(57)【要約】      （修正有）【課題】着装するシャツが、それの襟元の立ち代に、襟飾りを止着するための止着手段が設けられていない通常のシャツであっても、襟飾りの着装が適確に行えるようにして、どのようなシャツにも、それの襟元を開襟の状態に保持せしめて、簡易にかつ適確に行える襟飾りを提供する。【解決手段】左右に張り出す左右の取付帯部ｂのうちの、開襟とした状態のシャツの第１ボタンと対向する側の取付帯部ｂの裏面側には、前記第１ボタンを嵌め込むボタンホールＷを表面側に貫通するように装設し、前記シャツ１の第１ボタンホールと対向する側の取付帯部ｂの裏面側には前記第１ボタンホールに対し嵌め込むボタンＵを取り付ける。【選択図】図９
0003191060.tif 000002
【実用新案登録請求の範囲】
【請求項１】
主体部（ａ）の上縁部位の左右の肩部に、シャツ（１）の襟首部位の立ち代（１０）の外面側に対し装脱自在に止着する取付帯部（ｂ）を左右にそれぞれ張り出すように設け、主体部（ａ）の上半部位で、襟飾り（Ａ）の着装状態時において、シャツ（１）を開襟とすることで形成される開放部（Ｙ）と重なる部位には、メッシュまたはレースなどの通気性の良い生地で形成した通気部（ｃ）を装設し、前記左右に張り出す左右の取付帯部（ｂ）のうちの、開襟とした状態のシャツ（１）の第１ボタン（２）と対向する側の取付帯部（ｂ）の裏面側には、前記第１ボタン（２）を嵌め込むボタンホール（Ｗ）を表面側に貫通するように装設し、前記シャツ（１）の第１ボタンホール（３）と対向する側の取付帯部（ｂ）の裏面側には前記第１ボタンホール（３）に対し嵌め込むボタン（Ｕ）を取り付けたことを特徴とする襟飾り。
【請求項２】
主体部（ａ）の上縁部分の左右の肩部に、それぞれ側方に張り出すように設ける左右の取付帯部（ｂ）のうちの、シャツ（１）の襟の第１ボタンホール（３）と対向する側の取付帯部（ｂ）に、その取付帯部（ｂ）の外面側で、その取付帯部（ｂ）の内面側に付設せるボタン（Ｕ）と重合する位置に、飾りボタン（Ｐ）を取り付けていることを特徴とする請求項１記載の襟飾り。
【考案の詳細な説明】
【技術分野】
【０００１】
本考案は、洋服の襟元に着けるネクタイ・ブローチ等の襟飾りのうちで、着装する洋服のシャツの襟元部を開襟の状態としたところに、その開襟とした状態を保持せしめるように着装し、かつ、着装により、開襟の状態となっている襟元部位に、メッシュに編成した通気性の良い通気部が位置してくるようにしてある形態の襟飾りについての改良に関する。
【背景技術】
【０００２】
洋服の襟元に着けるネクタイ・ブローチ等の襟飾りのうちで、着装する洋服のシャツの襟元部を開襟の状態としたところに、その開襟とした襟元部を、開襟の状態に保持せしめるように取り付け、かつ、取り付けたときに、シャツの開襟の状態とした襟元部と対向する部位を、通気性の良いメッシュで編成した通気部に編成してある形態の襟飾りは、実用新案登録第３１８６５２２号、同第３１８６５２３号の登録実用新案公報にあるように、本願の出願人が既に開発して公知のものとなっている。
【０００３】
上述の形態の襟飾りの、従前のものは、その襟飾りのシャツの襟元部に対する止着、取り付けが、着装時にシャツの襟元部から胸下部に向け帯状に垂れ下がる主体部の上縁部に、それぞれ左右に張り出す細巾の条片状の取付帯部を設けて、これら取付帯部を、第１ボタンを外して開襟の状態としたシャツの襟元の立ち代の、ボタンが付設される右襟側の立ち代及びボタンホールが付設される左襟側の立ち代それぞれの外面に、それぞれ当接して、止着部材を介し止着することで行われているものである。
【０００４】
従前手段の登録実用新案公報に添付の図面を用いて一層具体的に説明すれば、図１に示している如くシャツ１の襟元部に装着する襟飾りＡの、襟元部から胸下部に向け帯状に垂れ下がる主体部ａの上縁部に、図２に示している如く、左右にそれぞれ袖状に張り出す取付帯部ｂを、図３にあるようシャツ１の襟元部に形成される立ち代１０の上下高さに略対応する細い幅に形成して装設し、これら左右の取付帯部ｂのそれぞれの内面側に、前記シャツ１の襟元の立ち代１０の外面に当接したときの止着手段として、マジックファスナー（登録商標）のテープを取り付けておくか、複数のボタンまたはボタンホールを並列させて取り付けまたは開設しておき、また、シャツ１の襟元の立ち代１０の外面側には、前記取付帯部ｂに付設せるマジックファスナー（登録商標）のテープと係合するマジックファスナー（登録商標）のテープを取り付けておくか、前記取付帯部ｂに付設したボタンに嵌め合い可能のボタンホール１１を複数個並列させて付設するか、前記取付帯部ｂに付設のボタンホールに対し嵌め合い可能のボタン１２を複数個並列させて取り付け付設しておいて、シャツ１の襟本部の立ち代１０の外面側に、襟飾りＡの左右の取付帯部ｂを当接したときに、マジックファスナー（登録商標）のテープによる係着か、ボタンとボタンホールとの嵌め合わせによる係着によって、シャツ１の襟元部に襟飾りを装着するようにしているものである。
【０００５】
このため、襟飾りＡの着装自体は、取付帯部ｂを、シャツ１の襟元の立ち代１０の外面に当接して、マジックファスナー（登録商標）のテープによる係着、またはボタンとボタンホールとの嵌め合わせによる係着によって、簡易に行えるが、着装する際に、シャツ１の襟元の立ち代１０の外面に、マジックファスナー（登録商標）のテープまたはボタンまたはボタンホールなどの係着手段を、予め付設しておかなければならない制約があり、また、着装が上述の係着手段を備えるシャツにしか行えない厄介な問題が生じている。
【先行技術文献】
【特許文献】
【０００６】
【特許文献１】実用新案登録第３１８６５２２号公報、実用新案登録第３１８６５２３号公報
【考案の概要】
【考案が解決しようとする課題】
【０００７】
本考案は、この形態の襟飾りＡに生じている上述の問題を解決するためになされたものであって、襟飾りの着装の際に、着装するシャツ１が、それの襟元の立ち代１０に、襟飾りを止着するための止着手段が設けられていない通常のシャツであっても、襟飾りの着装が適確に行えるようにして、どのようなシャツにも、それの襟元を開襟の状態に保持せしめて、襟飾りＡを装着するのが、簡易にかつ適確に行えるようにする手段を提供することを課題とする。
【課題を解決するための手段】
【０００８】
そして、本考案においては、この課題を解決するための手段として、主体部ａの上縁部位の左右の肩部に、シャツ１の襟首部位の立ち代１０の外面側に対し装脱自在に止着する取付帯部ｂを左右にそれぞれ張り出すように設け、主体部ａの上半部位で、襟飾りＡの着装状態時において、シャツ１を開襟とすることで形成される開放部Ｙと重なる部位には、メッシュまたはレースなどの通気性の良い生地で形成した通気部ｃを装設し、前記左右に張り出す左右の取付帯部ｂのうちの、開襟とした状態のシャツ１の第１ボタン２と対向する側の取付帯部ｂの裏面側には、前記第１ボタン２を嵌め込むボタンホールＷを表面側に貫通するように装設し、前記シャツ１の第１ボタンホール３と対向する側の取付帯部ｂの裏面側には前記第１ボタンホール３に対し嵌め込むボタンＵを取り付けたことを特徴とする襟飾りを提起し、また、これに併せて、
主体部ａの上縁部分の左右の肩部に、それぞれ側方に張り出すように設ける左右の取付帯部ｂのうちの、シャツ１の襟の第１ボタンホール３と対向する側の取付帯部ｂに、その取付帯部ｂの外面側で、その取付帯部ｂの内面側に付設せるボタンＵと重合する位置に、飾りボタンＰを取り付けていることを特徴とする襟飾りを提起するものである。
【考案の効果】
【０００９】
本考案による襟飾りＡは、それの主体部ａの上縁部分の左右の肩部に、それぞれ左右方向に沿い外側に向けて張り出すように設けている取付帯部ｂ・ｂを、シャツ１の襟元部の立ち代１０の外面に係着せしめることで行う襟飾りＡの装着が、シャツ１の襟元を開襟の状態とするために、嵌め合いが外されて、遊んでいる状態になっているシャツの襟元部の第１ボタン２とそれに嵌り合う第１ボタンホッパ３とを、その状態のまま利用して、それら第１ボタン２と第１ボタンホール３により取付帯部ｂ・ｂをシャツ１の襟元の立ち代１０に止着せしめて取り付けることで行っているのだから、シャツ１の襟元の立ち代１０に、格別の止着手段を設けることなく襟飾りＡの装着が行える。そして、シャツは、開襟の状態とするための第１ボタンとこれに嵌り合う第１ボタンホールとを備えるシャツであれば、どのようなシャツであっても、襟飾りＡの適確な着装が行えるようになる。
【図面の簡単な説明】
【００１０】
【図１】従前の襟飾りの、シャツの襟元に着装した状態の正面図である。
【図２】同上の襟飾りの、着装前の状態時の正面図である。
【図３】同上の襟飾りを着装するシャツの襟元部の正面視の斜視図である。
【図４】本考案を実施せる襟飾りを着装するシャツの襟元部の正面図である。
【図５】同上シャツの、襟元の折り返しを立てた状態における正面視の斜視図である。
【図６】同上の襟飾りの正面図である。
【図７】同上の襟飾りの、シャツの襟元に着装した状態時の正面図である。
【図８】同上襟飾りの表面側から見た正面図である。
【図９】同上襟飾りの裏面側から見た背面図である。
【図１０】同上襟飾りに用いる骨組みの正面図である。
【図１１】同上の骨組みの斜視図である。
【図１２】同上の骨組みを芯として構成した通気部の正面図である。
【図１３】同上の通気部の構成を説明するための、同上通気部の縦断した平面視の説明図である。
【図１４】第２の実施例の襟飾りの正面図である。
【図１５】同上の襟飾りに組み込む骨組みの正面図である。
【図１６】同上骨組みの斜視図である。
【図１７】同上骨組みの構成を説明する平面視の説明図である。
【図１８】同上骨組みを襟飾りの主体部に挿入する工程を説明する主体部と骨組みの斜視図である。
【考案を実施するための形態】
【００１１】
次に本考案の実施の態様を、実施例につき図面に従い詳述する。
【実施例１】
【００１２】
図４乃至図１２は、本考案手段の第１の実施例を示し、図４は、本考案手段を実施せる襟飾りＡを着装する際に着衣するシャツの襟元部の正面図、図５は同上のシャツの襟の折り返しを立てた状態の正面図、図６は本考案手段を実施せる襟飾りの正面図、図７は同上の襟飾りを前記シャツの襟元部に装着した状態時の正面図、図８は、同上の襟飾りのシャツの襟元部に装着する前の状態時の表面側を表す正面図、図９は、同襟飾りの裏面側を表す正面図、図１０は同上の襟飾りの通気部の芯に装入する骨組みの正面図、図１１は同上骨組みの斜視図、図１２は同上の骨組みの、表面側と裏面側との両面のそれぞれの全面に、メッシュまたはレースに編成して通気を良くした薄手の生地を被せて添着し、かつ、その薄手の生地の添着の際、骨組みの左右の肩部からそれぞれ張り出す袖部内に、厚手の生地よりなる芯材を埋設しておき、周縁に細巾の条片状の生地を巻きつけて縫着することで、通気部に仕上げた状態の斜視図、図１３は、同上の通気部に仕上げた状態の骨組みの構成を説明するための、縦断した平面視の説明図である。
【００１３】
これら図４乃至図１３の図において、Ａは本考案手段を実施せる襟飾りの全体、ａはその襟飾りＡの主体部、ｂはその主体部ａの上縁部分の左右の肩部にそれぞれ外側に張り出すように設けた取付帯部、ｃは前記の主体部ａの上半部位に装設した通気部をそれぞれ示し、また、１は襟飾りＡを装着するシャツ、１０はそのシャツ１の襟元部の立ち代をそれぞれ示す。
【００１４】
襟飾りＡは、図６に示しているように、着装した通常のネクタイの如く帯状に垂れ下がる主体部ａと、その主体部ａの上縁部位の左右の肩部から、それぞれ外側に向けて袖状に張り出す左右の取付帯部ｂ・ｂとで、全体が上下に長いＴ字状乃至Ｙ字状に形成してあること、そして、主体部ａの上半側の部位には、メッシュまたはレースなどの通気性の良い生地で形成した通気部ｃを装備していることについては、図１〜図３に示している従前のこの種の形態の襟飾りと同様であるが、この例においては、それの通気部ｃを次に記載するように構成している。
【００１５】
即ち、外径０．５ミリのステンレススティールの線材の如く、バネ性を具備する細径の金属線材Ｓを用いて、それの加工により取付帯部ｂを含めた主体部ａの上半部の形状に対応する形状の骨組みＨを、図１０及び図１１に示しているように組み立て、この骨組みＨの表面側と裏面側との両面の各全面に、それぞれメッシュまたはレースなどの通気性のよい薄手の生地４を、それぞれ被せて付着せしめて通気部ｃを構成するようにするが、この通気性の良い生地を骨組みＨの全面に被覆せしめて付着する際、襟飾りＡの取付帯部ｂに対応して、骨組みＨの左右の肩部に形成される張り出し部には、厚手の生地５を予め埋設しておいて、その上に、メッシュまたはレースなどの通気性の良い薄手の生地４を被せて付着せしめ、かつ、この生地の付着後に、骨組みＨの周縁に、細幅の縁取条片６を被せて縫着することで、図１２に示している如く、取付帯部ｂが一体に連続する主体部ａの上半部となる通気部ｃに仕立てる構成としてある。そして、この通気部ｃを構成するよう仕立てた主体部ａの上半部の下縁側を、通常のネクタイの生地よりなる主体部ａの下半部の上縁部に縫着することで、襟飾りＡを構成するようにしている。
【００１６】
Ｕは、襟飾りＡの取付帯部ｂを、シャツ１の襟元部の立ち代１０の外面にボタン止めにより止着せしめるために、取付帯部ｂに設けたボタンであり、シャツ１の襟元部を、第１ボタン２と第２ボタンホール３との嵌め合いを外して開襟とした状態時において、第１ボタンホール３が設けられている左側の襟元部に対向する右側の取付帯部ｂの裏面側で、前記第１ボタンホール３と対向する部位に設けてある。
【００１７】
Ｗは、左側の取付帯部ｂを、前述の右側の取付帯部ｂと同様にボタン止めによりシャツ１の襟元部の立ち代１０の外面に止着せしめるために、その左側の取付帯部ｂに設けたボタンホールで、その左側の取付帯部ｂの裏面側で、開襟とした状態のシャツ１の右側の襟元部に設けられている第１ボタン２と対向する部位に、その取付帯部ｂの表面側に貫通する状態に設けてある。
【００１８】
なお、図８において鎖線で表記し、符号Ｐを付している部材は、右側の取付帯部ｂの表面側で、その取付帯部ｂの裏面側に設けたボタンＵと重合する位置に取り付けた飾りボタンである。
【００１９】
このように構成される実施例手段の襟飾りＡは、シャツ１の襟元部への着装が、シャツを開襟の状態とすることで遊んでいるシャツの第１ボタンと第１ボタンホールとを利用して行うことから、どのようなシャツにも、止着手段を施すことなく、簡易かつ適確に行える。
【実施例２】
【００２０】
次に図１５乃至図１９は、別の実施例を示している。この例は、襟飾りＡの主体部ａの上半側に設ける通気部ｃを、正面視においてＶ字状に形成している例であり、この通気部ｃの形状をＶ字状に形成した点を除く、他の点は前述の第１の実施例のものと変わりがない。
【００２１】
即ち、この例の襟飾りＡは、主体部ａの上縁部の左右の肩部に、それぞれ外側に張り出す取付帯部ｂを設け、主体部ａの上半側で、シャツ１の襟元部の第１ボタン２と第１ボタンホール３との嵌め合わせを外すことにより襟元部に形成される開放部Ｙと重なり合う部位に、メッシュまたはレースなどの通気性の良い薄手の生地を張架して形成せる通気部ｃを装備せしめて襟飾りＡを構成する点、また、襟飾りＡの左右の肩部に設ける左右の取付帯部ｂの裏面側には、右側の取付帯部ｂの裏面側にあっては、シャツ１の左襟に設けられる第１ボタンホール３に対し嵌め合わせ可能なボタンＵが設けられ、左側の取付帯部ｂの裏面側にあっては、シャツ１の右襟に設けられる第１ボタン２に対し嵌め合わせ可能なボタンホールＷが、該左側の取付帯部ｂの表面側に貫通する状態に装設してある。
【００２２】
しかして、通気部ｃには、バネ性のある細径の金属線材Ｓの組み立て加工により組み立てた骨組みＨを、前記第１の実施例のものと同様に、芯材として組み込むが、その骨組みＨは、図１９に示しているように、主体部ａの上縁部に形設しているＶ字状の切欠部Ｘに対応する三角錐状の主枠部Ｈ１と襟飾りＡの左右の取付帯部ｂに対応する張出枠Ｈ２とが一体に連続する形状の骨組みＨに構成し、これを、主体部ａの上縁部に形設しておく袋部ｄ内に挿し込んで組み付けることで、通気部ｃを構成するようにしている。この例の襟飾りＡは、左右の取付帯部ｂ・ｂの裏面側に、シャツの襟元部の第１ボタンと第１ボタンホールに対して嵌め合わせるボタンＵとボタンホールＷとを設けているのだから、前述の第１の実施例のものと同様に機能し、作用する。
【符号の説明】
【００２３】
Ａ    襟飾り
Ｈ    骨組み
Ｈ１  主枠部
Ｈ２  張出枠
Ｐ    飾りボタン
Ｓ    金属線材
Ｕ    ボタン
Ｗ    ボタンホール
Ｘ    Ｖ字状の切欠部
Ｙ    開放部
ａ    主体部
ｂ    取付帯部
ｃ    通気部
ｄ    袋部
１    シャツ
２    第１ボタン
３    第１ボタンホール
４    薄手の生地
５    厚手の生地
６    細幅の縁取条片
１０    立ち代
１１    ボタンホール
１２    ボタン
【図１】
0003191060.tif 000003
【図２】
0003191060.tif 000004
【図３】
0003191060.tif 000005
【図４】
0003191060.tif 000006
【図５】
0003191060.tif 000007
【図６】
0003191060.tif 000008
【図７】
0003191060.tif 000009
【図８】
0003191060.tif 000010
【図９】
0003191060.tif 000011
【図１０】
0003191060.tif 000012
【図１１】
0003191060.tif 000013
【図１２】
0003191060.tif 000014
【図１３】
0003191060.tif 000015
【図１４】
0003191060.tif 000016
【図１５】
0003191060.tif 000017
【図１６】
0003191060.tif 000018
【図１７】
0003191060.tif 000019
【図１８】
0003191060.tif 000020